(57)【特許請求の範囲】
【請求項１】
入力画像に基づいて画像を表示する表示手段と、
前記入力画像のダイナミックレンジのうち前記表示手段に表示されるダイナミックレンジである表示レンジに基づいて、前記入力画像を変換して変換画像を生成する変換手段と、
前記表示レンジと前記表示手段に表示される輝度の最大値である最大表示輝度とに基づいて、基準の明るさを示す情報と、前記入力画像のうち前記基準の明るさを示す信号値が前記表示手段に表示される場合の輝度である特定輝度を示す情報が表示されるように、前記表示手段を制御する制御手段と、
を備えることを特徴とする表示装置。
【請求項２】
ユーザの指示に応じて、前記表示レンジを取得する第１取得手段を更に有することを特徴とする請求項１に記載の表示装置。
【請求項３】
ユーザの指示に応じて、前記最大表示輝度を取得する第２取得手段を更に有することを特徴とする請求項１または請求項２に記載の表示装置。
【請求項４】
ユーザの指示に応じて、前記基準の明るさを取得する第３取得手段を更に有することを特徴とする請求項１乃至請求項３のいずれか１項に記載の表示装置。
【請求項５】
前記特定輝度を示す情報は、前記基準の明るさを示す信号値のパッチ画像であることを特徴とする請求項１乃至請求項４のいずれか１項に記載の表示装置。
【請求項６】
前記基準の明るさは、前記入力画像のダイナミックレンジのうち、最大の明るさでない明るさであることを特徴とする請求項１乃至請求項５のいずれか１項に記載の表示装置。
【請求項７】
前記入力画像は、反射率を示す信号値で構成されており、
前記基準の明るさは、反射率１８％、反射率１００％、および反射率２％のうち少なくとも１つであることを特徴とする請求項１乃至請求項６のいずれか１項に記載の表示装置。
【請求項８】
入力画像に基づく画像を表示する表示手段を備える表示装置の制御方法であって、
前記入力画像のダイナミックレンジのうち前記表示手段に表示されるダイナミックレンジである表示レンジに基づいて、前記入力画像を変換して変換画像を生成する変換工程と、
前記表示レンジと前記表示手段に表示される輝度の最大値である最大表示輝度とに基づいて、基準の明るさを示す情報と前記入力画像のうち前記基準の明るさを示す信号値が前記表示手段に表示される場合の輝度を示す情報が表示されるように、前記表示手段を制御する制御工程と、
を備えることを特徴とする表示装置の制御方法。
【請求項９】
ユーザの指示に応じて、前記表示レンジを取得する第１取得工程を更に有することを特徴とする請求項８に記載の表示装置の制御方法。
【請求項１０】
ユーザの指示に応じて、前記最大表示輝度を取得する第２取得工程を更に有することを特徴とする請求項８または請求項９に記載の表示装置の制御方法。
【請求項１１】
ユーザの指示に応じて、前記基準の明るさを取得する第３取得工程を更に有することを特徴とする請求項８乃至請求項１０のいずれか１項に記載の表示装置の制御方法。
【請求項１２】
前記基準の明るさに対応する特定輝度を示す情報は、前記基準の明るさを示す信号値のパッチ画像であることを特徴とする請求項８乃至請求項１１のいずれか１項に記載の表示装置の制御方法。
【請求項１３】
前記基準の明るさは、前記入力画像のダイナミックレンジのうち、最大の明るさ以外の明るさであることを特徴とする請求項８乃至請求項１２のいずれか１項に記載の表示装置の制御方法。
【請求項１４】
前記入力画像は、反射率を示す信号値で構成されており、
前記基準の明るさは、反射率１８％、反射率１００％、および反射率２％のうち少なくとも１つであることを特徴とする請求項８乃至請求項１３のいずれか１項に記載の表示装置の制御方法。
【請求項１５】
請求項８乃至請求項１４のいずれか１項に記載の表示装置の制御方法を実行することが可能な演算処理装置で実行可能なプログラム。
【請求項１６】
請求項１５に記載のプログラムを記録した演算処理装置が読取可能な記憶媒体。
【発明の詳細な説明】
【技術分野】
【０００１】
本発明は、画像信号に基づいて画像を表示する表示装置とその制御方法に関する。
【背景技術】
【０００２】
近年、従来の輝度の範囲（ダイナミックレンジ）よりも、広いダイナミックレンジを記録することが可能な画像信号のフォーマットが定義されている。このようなフォーマットで記録された画像を編集する場合、グレーや白色等の基準となる明るさに対応する信号値が、表示装置において表示される輝度を指標とすることがある。
【０００３】
また、入力された画像信号の信号値の取り得る範囲のうち、表示装置で表示する信号値の範囲（表示レンジ）を制御することが可能な表示装置がある。特許文献１には、入力された画像信号の信号値を増幅し、増幅量に応じてバックライトの発光量を減縮させることが可能な液晶表示装置が開示されている。この液晶表示装置によれば、入力された画像信号のダイナミックレンジのうち液晶表示装置に表示される表示レンジを制限し、かつ、表示される輝度の範囲が変化することを抑制することが可能となる。
【先行技術文献】
【特許文献】
【０００４】
【特許文献１】特開２０１０−０１４９８７号公報
【発明の概要】
【発明が解決しようとする課題】
【０００５】
しかしながら、上述した従来の技術では、入力画像において基準となる明るさに対応する信号値が表示装置に表示される場合の輝度が、表示レンジの設定に応じて変化することがある。また、表示レンジと、表示装置が表示可能な最大の輝度値とをそれぞれ独立して制御することが可能な表示装置では、設定に応じて基準となる明るさに対応する信号値が表示される輝度が変化することがある。
【０００６】
したがって、ユーザが、入力画像において基準となる明るさに対応する信号値が、表示装置においてどのような輝度で表示されているかを認識することが困難であった。
【０００７】
そこで、本発明は、上記課題に鑑みて、表示装置の設定条件に応じて、基準となる明るさに対応する信号値の表示装置における表示輝度をユーザが把握することが可能な表示装置を提供することを目的とする。
【課題を解決するための手段】
【０００８】
上述した課題を解決するために、本発明の表示装置の第１の形態は、入力画像に基づいて画像を表示する表示手段と、前記入力画像のダイナミックレンジのうち前記表示手段に表示されるダイナミックレンジである表示レンジに基づいて、前記入力画像を変換して変換画像を生成する変換手段と、前記表示レンジと前記表示手段に表示される輝度の最大値である最大表示輝度とに基づいて、基準の明るさを示す情報と、前記入力画像のうち前記基準の明るさを示す信号値が前記表示手段に表示される場合の輝度を示す情報が表示されるように、前記表示手段を制御する制御手段と、を備えることを特徴とする。
【発明の効果】
【０００９】
本発明の表示装置によれば、表示装置の設定条件に応じて、基準となる明るさに対応する信号値の表示装置における表示輝度をユーザが把握することが可能となる。
【図面の簡単な説明】
【００１０】
【図１】表示装置の装置構成図である。
【図２】制御部の機能ブロックを示すブロック図である。
【図３】反射率と、入力画像の信号値との関係を示す模式図である。
【図４】反射率と、画像変換部が生成した変換画像の信号値との関係を示す模式図である。
【図５】反射率と、反射率に対応する入力画像の各信号値に対応する画素の表示輝度Ｌとの関係を示した模式図である。
【図６】制御部が実行する表示部の表示制御フローを示したフローチャートである。
【図７】ＯＳＤ生成部が生成したＯＳＤ画像示す模式図である。
【図８】合成画像を示す模式図である。
【図９】ＧＵＩ画像と基準の明るさ（反射率）および特定輝度を示す画像からなるＯＳＤ画像を示した模式図である。
【発明を実施するための形態】
【００１１】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形が可能であり、それらを本発明の範囲から除外するものではない。即ち、各実施例及びその変形例を組み合わせた構成も全て本発明に含まれるものである。
【００１２】
（実施例）
本発明の表示装置１は、入力画像のダイナミックレンジのうち表示装置１に階調性を有して表示される範囲である表示レンジと、表示装置１に表示される輝度の最大値とに基づいて、基準となる明るさを示す信号値が表示される輝度を示す情報を表示する。
【００１３】
図１は、表示装置１の装置構成図である。表示装置１は、表示部１０と、表示部１０を制御する制御部１００と、メモリ２００と、操作部３００を備える。
【００１４】
表示部１０は、表示パネル１１とバックライト１２とを備える。表示パネル１１は、画像信号に応じて、光の透過率を制御することが可能な複数の素子を有する透過型の表示パネルである。例えば、表示パネル１１は、液晶素子を用いた液晶パネルであるとする。なお、表示パネル１１は、Ｍｉｃｒｏ  Ｅｌｅｃｔｒｏ  Ｍｅｃｈａｎｉｃａｌ  Ｓｙｓｔｅｍｓ（ＭＥＭＳ）で構成された透過型の素子を複数備えるものであってもよい。
【００１５】
バックライト１２は、表示パネル１１に光を透過する照明装置である。バックライト１２は、１または複数の光源を備える。バックライト１２は、設定された表示装置１の最大表示輝度に応じて、光源の発光量を制御する。また、バックライト１２は、入力された画像信号に応じて、バックライト１２の光源ごとに明るさを制御するものであってもよい。
【００１６】
なお、表示部１０は、上述のように透過型の表示パネル１１と、バックライト１２とを用いた透過型のディスプレイに限定されない。表示部１０は、Ｏｒｇａｎｉｃ  Ｌｉｇｈｔ  Ｅｍｉｔｔｉｎｇ  Ｄｉｏｄｅ（ＯＬＥＤ）を、素子に用いたＯＬＥＤディスプレイ等の自発光型のディスプレイであってもよい。
【００１７】
制御部１００は、表示部１０の動作を制御するための回路基板である。例えば、制御部１００は、演算処理装置（プロセッサ）であるとする。制御部１００は、表示部１０の動作を制御するためのプログラムおよびパラメータ等を、メモリ２００から読出し、後述する処理を実行することによって表示部１０の動作を制御する。なお、制御部１００は、複数のプロセッサや、後述する処理の一部を実行する１または複数の電子回路を備えるものであってもよい。
【００１８】
メモリ２００は、制御部１００が表示部の動作を制御するために演算処理装置が実行可能なプログラムおよびパラメータを記憶し、演算処理装置がプログラムおよびパラメータを読取可能な記憶媒体である。メモリ２００は、表示装置１に表示する画像信号を記憶していてもよい。メモリ２００は、例えば、不揮発性のハードディスク等の記憶媒体であるとする。なお、メモリ２００は、揮発性の半導体を用いた記憶媒体であってもよい。メモリ２００は、複数の記憶媒体からなるものであってもよい。
【００１９】
操作部３００は、ユーザの指示を制御部１００に入力するためのインターフェースである。操作部３００は、例えば、キーボードやマウス等の物理的にユーザが操作して情報を入力する入力装置である。また、操作部３００は、表示装置１に表示されるＯＳＤを操作することによって、制御部１００にユーザの指示を入力してもよい。
【００２０】
図２は、制御部１００の機能ブロックを示すブロック図である。制御部１００は、入力部１０１、画像変換部１０２、表示レンジ取得部１０３、表示輝度取得部１０４、表示制御部１０５、ＯＳＤ生成部１０６、画像合成部１０７、および基準反射率取得部１０８を備える。なお、これらの各機能ブロックは、いずれも電子回路等のハードウェアで実行することも可能である。
【００２１】
入力部１０１は、入力画像やユーザの指示が入力されるインターフェースである。例えば、入力部１０１は、メモリ２００から入力画像が入力されるとする。また、入力部１０１は、操作部３００から、ユーザ指示が入力される。入力部１０１は、入力された情報の種類に応じて、制御部１００の各機能ブロックに出力する。
【００２２】
入力部１０１に入力された入力画像について、説明する。入力画像は、各画素に対して、明るさに対応する信号値が指定されている。例えば、入力画像の元となる画像の明るさを、「反射率」で表現するとする。反射率は画像の明るさの表現の一形式であり、環境光下で照明された受光物体の明るさを０〜１００％程度の反射率、それを超える明るさを有する照明光源や太陽などの発光物体の明るさを１００％以上の反射率として表現することが多い。
【００２３】
また、撮影現場などでは、反射率１８％が濃度５０％のグレーに対応するように、適正な露出に調整して、撮影が実行されるとする。このとき、反射率１８％は、基準となる明るさであり、反射率１８％に対応する信号値を基準信号値であるとする。なお、基準となる明るさは、反射率１８％以外の値であってもよい。例えば、反射率１００％（白）や反射率２％（黒）としてもよい。基準となる明るさは、ダイナミックレンジの最大値以外の値であればよい。
【００２４】
図３は、反射率と、入力画像の信号値との関係を示す模式図である。図３の横軸は反射率を示し、縦軸は入力画像の信号値を示している。入力画像の画素値は１０ｂｉｔ信号で表わされるとする。例えば、入力画像は、ガンマ２．６の反射率８００％のダイナミックレンジに対応する１０ビット信号であるとする。なお、ダイナミックレンジおよび表示レンジは、明るさの範囲であるが、下限値は、黒に近い極小値で固定とすることから、対応する範囲の最大の明るさを示すことで範囲を示すものとする。反射率をＲ（％）に対応する入力画像の信号値Ｓ１は式１で表される。
【００２５】
【数１】
0006771947.tif 000002
【００２６】
表示レンジ取得部１０３は、入力画像のダイナミックレンジのうち、階調性を有して表示装置１に表示される範囲である表示レンジを取得して、画像変換部１０２とＯＳＤ生成部１０６とに出力する。表示レンジ取得部１０３は、ユーザの指示に応じて、表示レンジを取得する。また、表示レンジ取得部１０３は、表示部１０が表示可能な最大の表示輝度に応じてあらかじめ設定された表示レンジを、メモリ２００から取得してもよい。例えば、表示レンジ取得部１０３は、ユーザ指示により、表示レンジＲａとして４００％を取得するとする。
【００２７】
表示輝度取得部１０４は、表示装置１に表示される輝度の最大値である最大表示輝度Ｂｌを取得して、ＯＳＤ生成部１０６と、表示制御部１０５とに出力する。最大表示輝度Ｂｌは、例えば、表示装置１に全白画像を表示した時に表示される表示輝度である。表示輝度取得部１０４は、ユーザの指示に応じて、最大表示輝度Ｂｌを取得する。また、表示輝度取得部１０４は、メモリ２００に予め記憶された表示部１０が表示可能な最大の表示輝度Ｂｌを取得してもよい。例えば、表示輝度取得部１０４は、最大表示輝度Ｂｌとして４００ｎｉｔを取得するとする。
【００２８】
基準反射率取得部１０８は、入力画像のダイナミックレンジのうち、基準となる明るさを取得して、ＯＳＤ生成部１０６に出力する。基準反射率取得部１０８は、ユーザの指示に応じて、基準となる明るさを取得する。また、基準反射率取得部１０８は、メモリ２００に予め記憶された基準となる明るさを取得してもよい。例えば、基準反射率取得部１０８は、基準となる明るさとして、反射率１００％を取得するとする。
【００２９】
画像変換部１０２は、入力画像のダイナミックレンジを表示レンジ取得部１０３が取得した表示レンジＲａに変換して変換画像を生成して、表示制御部１０５もしくは画像合成部１０７に出力する。画像変換部１０２は、入力画像のうち、表示レンジＲａに含まれない範囲の信号を、変換画像の上限値に変換し、表示レンジに含まれる信号の範囲を、変換画像の取り得る範囲に変換する。
【００３０】
画像変換部１０２は、取得した表示レンジＲａを用いて、入力画像の信号値Ｓ１を変換画像の信号値Ｓ２に変換する。例えば、画像変換部１０２は、式２を用いて入力画像の信号値Ｓ１を変換画像の信号値Ｓ２に変換する。
【００３１】
【数２】
0006771947.tif 000003
【００３２】
式２において、２．２は、表示パネル１１の表示特性を示す値であり、ガンマ値である。ガンマ値は、表示部１０によって異なる特性値である。また、変換画像も、入力画像と同様に１０ビット信号で表わされるとする。なお、入力画像と変換画像とは、８ビットや１２ビット以上の信号で表わすことも可能である。また、入力画像と変換画像とを示すビット数は異なっていてもよい。
【００３３】
図４は、反射率と、画像変換部１０２が生成した変換画像の信号値Ｓ２との関係を示す模式図である。図４において、横軸は反射率、縦軸は変換画像の信号値Ｓ２をそれぞれ示している。図４の実線は、表示レンジＲａが４００％である場合の反射率と信号値Ｓ２との関係を示している。また、図４の一点破線は、表示レンジＲａが６００％である場合の反射率と信号値Ｓ２との関係を示している。
【００３４】
図４において、表示レンジＲａを超える反射率に対応する範囲は、変換画像の取り得る範囲の上限値である１０２３に変換されている。また、表示レンジＲａに含まれる範囲は、変換画像の取り得る信号値の範囲に変換される。言い換えると、表示レンジＲａに含まれる範囲は、変換画像において、階調性を有するように対応づけられている。ここで、階調性を有するとは、入力画像の各画素に指定された明るさが異なる場合に、変換画像において、異なる信号値が指定されていることを指す。したがって、変換画像に基づいて表示部１０で画像が表示された場合に、指定された明るさが異なる複数の画素が表示される輝度は、それぞれ異なる。
【００３５】
なお、画像変換部１０２は入力画像の信号値を増幅するゲイン制御を行ってもよい。例えば入力された画像信号レンジの半分を表示レンジとする場合、入力画像をゲイン２倍で増幅する。また、画像変換部１０２は、入力画像の信号値を変換画像の信号値に変換するＬＵＴ（Ｌｏｏｋ−Ｕｐ−Ｔａｂｌｅ）によって行っても良い。
【００３６】
画像変換部１０２は、変換画像を画像合成部１０７もしくは、表示制御部１０５に出力する。画像変換部１０２は、後述するＯｎ  Ｄｉｓｐｌａｙ  Ｓｃｒｅｅｎ（ＯＳＤ）画像を表示する場合、変換画像を画像合成部１０７に出力する。また、画像変換部１０２は、ＯＳＤ画像を表示しない場合、変換画像を表示制御部１０５に出力する。
【００３７】
ＯＳＤ生成部１０６は、入力画像のダイナミックレンジのうち、基準となる明るさに対応する信号値が画素に指定された場合に、当該画素が表示装置１において表示される特定輝度Ｌｒを取得する。そして、ＯＳＤ生成部１０６は、特定輝度Ｌｒを示すＯＳＤ画像を生成して、画像合成部１０７に出力する。ＯＳＤ生成部１０６は、表示レンジ取得部１０３から取得した表示レンジＲａと、表示輝度取得部１０４から取得した最大表示輝度Ｂｌとを用いて、特定輝度Ｌｒを算出する。ＯＳＤ生成部１０６の具体的な処理は、後述する。
【００３８】
画像合成部１０７は、画像変換部１０２から取得した変換画像と、ＯＳＤ生成部１０６から取得した特定輝度Ｌｒを示すＯＳＤ画像とを合成した合成画像を生成して、表示制御部１０５に出力する。
【００３９】
表示制御部１０５は、画像変換部１０２から取得した変換画像、もしくは画像合成部１０７から取得した合成画像を、表示画像として、表示画像に基づく画像が、最大表示輝度Ｂｌで表示されるように表示部１０を制御する。具体的には、表示制御部１０５は、表示画像に基づいて、表示パネル１１の各画素の透過率を制御し、最大表示輝度Ｂｌに基づいて、バックライト１２を制御する。
【００４０】
表示画像において、信号値Ｓ２が指定された画素が表示部１０に表示される明るさ（表示輝度）Ｌは、式３を用いて表わすことが可能である。
【００４１】
【数３】
0006771947.tif 000004
【００４２】
図５は、反射率と、反射率に対応する入力画像の各信号値に対応する画素の表示輝度Ｌとの関係を示した模式図である。図５において、横軸は反射率、縦軸は表示輝度Ｌをそれぞれ示している。
【００４３】
図５の実線は、表示レンジＲａが４００％であり、かつ最大表示輝度Ｂｌが４００ｎｉｔである場合の反射率Ｒと表示輝度Ｌとの関係を示している。図５の一点破線は、表示レンジＲａが６００％であり、かつ最大表示輝度Ｂｌが４００ｎｉｔである場合の反射率と明るさＬとの関係を示している。さらに、図５の破線は、表示レンジＲａが４００％であり、かつ最大表示輝度Ｂｌが８００ｎｉｔである場合の反射率Ｒと明るさＬとの関係を示している。対応する反射率が表示レンジＲａに含まれない入力画像の信号値に対応する画素は、最大表示輝度Ｂｌで表示される。また、対応する反射率が表示レンジＲａに含まれない入力画像の信号値に対応する画素は、階調性を有して表示される。
【００４４】
図５に示すように、表示レンジＲａと最大表示輝度Ｂｌとの設定値により、同一の反射率Ｒに対応する画素が、表示部１０で表示される明るさＬが異なる。例えば、基準の明るさを反射率１００％とすると、表示レンジＲａと最大表示輝度Ｂｌとの設定値により、基準の明るさに対応する表示輝度Ｌは、６６ｎｉｔから２００ｎｉｔ程度まで変化する。
【００４５】
制御部１００が実行する表示部１０の表示制御フローについて、フローチャートを用いて説明する。図６は、制御部１００が実行する表示部１０の表示制御フローを示したフローチャートである。制御部１００は、図６に示した表示制御フローを、表示装置１の駆動中に繰り返し実行するとする。
【００４６】
表示制御フローが開始されると、Ｓ１０で、表示レンジ取得部１０３が、表示レンジＲａを取得する。表示レンジ取得部１０３は、表示レンジＲａをユーザの指示に応じて取得してもよいし、メモリ２００に予め記憶された値を表示レンジＲａとしてもよい。表示レンジ取得部１０３は、取得した表示レンジＲａを、画像変換部１０２とＯＳＤ生成部１０６とに出力する。処理はＳ１１に進む。
【００４７】
Ｓ１１で、表示輝度取得部１０４が、最大表示輝度Ｂｌを取得する。表示輝度取得部１０４は、最大表示輝度Ｂｌをユーザの指示に応じて取得してもよいし、メモリ２００に予め記憶された値を最大表示輝度Ｂｌとしてもよい。表示輝度取得部１０４は、取得した表示レンジＲａを、表示制御部１０５とＯＳＤ生成部１０６とに出力する。処理はＳ１２に進む。
【００４８】
Ｓ１２で、基準反射率取得部１０８が、基準となる明るさを示す反射率を取得する。基準反射率取得部１０８は、取得した基準となる明るさを示す反射率を、ＯＳＤ生成部１０６とに出力する。処理はＳ１２に進む。
【００４９】
Ｓ１３で、画像変換部１０２は、表示レンジＲａと最大表示輝度Ｂｌとを用いて、入力画像の信号値Ｓ１を変換して変換画像を生成する。例えば、入力画像の信号値Ｓ１は、（式２）を用いて、変換画像の信号値Ｓ２に変換されるとする。処理はＳ１４に進む。
【００５０】
Ｓ１４で、ＯＳＤ生成部１０６は、取得した表示レンジＲａが、メモリ２００に記憶された以前の表示制御フローにおける表示レンジＲａ’から変更されたか否かを判断する。表示レンジＲａが変更されていると判断した場合、処理はＳ１７に進み、ＯＳＤ生成部１０６は、ＯＳＤ画像生成処理を開始する。また、表示レンジＲａが変更されていないと判断した場合、処理はＳ１５に進む。
【００５１】
Ｓ１５で、ＯＳＤ生成部１０６は、取得した最大表示輝度Ｂｌが、メモリ２００に記憶された以前の表示制御フローにおける最大表示輝度Ｂｌ’から変更されたか否かを判断する。最大表示輝度Ｂｌが変更されていると判断した場合、処理はＳ１７に進み、ＯＳＤ生成部１０６は、ＯＳＤ画像生成処理を開始する。また、表示レンジＲａが変更されていないと判断した場合、処理はＳ１６に進む。
【００５２】
Ｓ１６で、ＯＳＤ生成部１０６は、取得した基準の明るさが、メモリ２００に記憶された以前の表示制御フローにおける基準の明るさから変更されたか否かを判断する。基準の明るさが変更されていると判断した場合、処理はＳ１７に進み、ＯＳＤ生成部１０６は、ＯＳＤ画像生成処理を開始する。また、基準の明るさが変更されていないと判断した場合、処理はＳ１８に進み、画像合成部１０７は、以前の表示制御フローで生成したＯＳＤ画像を、変換画像に合成する。つまり、制御部１００は、表示レンジＲａ、最大表示輝度Ｂｌ、および基準となる明るさの少なくとも１つが変更されたことに応じて、ＯＳＤ画像を生成する処理を開始する。
【００５３】
Ｓ１７で、ＯＳＤ生成部１０６は、表示レンジＲａと最大表示輝度Ｂｌとに基づいて、基準の明るさに対応する入力画像の信号値を有する画素が表示部１０で表示される場合の特定輝度Ｌｒを示すＯＳＤ画像２０１を生成する。ＯＳＤ生成部１０６は、基準の明るさと表示レンジＲａと最大表示輝度Ｂｌとを用いて、特定輝度Ｌｒを算出する。具体的にはＯＳＤ生成部１０６は、基準の明るさと表示レンジＲａと最大表示輝度Ｂｌとを、式１、式２、および式３にそれぞれ適用することにより、特定輝度Ｌｒを算出する。
【００５４】
図７は、ＯＳＤ生成部１０６が生成したＯＳＤ画像２０１ａ、２０１ｂを示す模式図である。ＯＳＤ画像２０１ａは、基準となる明るさ（反射率）と、対応する特定輝度Ｌｒを示す画像である。例えば、基準となる明るさを反射率１００％とし、対応する特定輝度Ｌｒは９９ｎｉｔであるとする。
【００５５】
図７（ａ）のＯＳＤ画像２０１ａは、基準となる明るさ（反射率）と、対応する特定輝度Ｌｒとをそれぞれ文字情報で示したＯＳＤ画像である。また、図７（ｂ）のＯＳＤ画像２０１ｂは、基準となる明るさを示す文字情報に加えて、基準となる明るさに対応する入力画像の信号値を変換した信号値からなるパッチ画像を表示することによって、対応する特定輝度Ｌｒを示すＯＳＤ画像である。ＯＳＤ画像２０１ｂを表示することによって、ユーザは、基準となる明るさを示す信号値が、表示装置１において、どのような明るさで表示されているかを直感的に把握することが可能となる。
【００５６】
ＯＳＤ生成部１０６は、生成したＯＳＤ画像２０１を、メモリ２００と画像合成部１０７とに出力する。処理はＳ１８に進む。
【００５７】
Ｓ１８で、画像合成部１０７は、取得したＯＳＤ画像２０１を変換画像に合成して、合成画像２０２を生成する。ＯＳＤ生成部１０６がＯＳＤ画像２０１を生成していない場合、画像合成部１０７は、メモリ２００から取得したＯＳＤ画像２０１を変換画像に合成する。
【００５８】
図８は、合成画像２０２を示す模式図である。画像合成部１０７は、変換画像にＯＳＤ画像２０１を重畳して合成する。なお、画像合成部１０７は、変換画像の外側にＯＳＤ画像２０１を合成して合成画像２０２を生成してもよい。さらに、画像合成部１０７は、ＯＳＤ画像２０１を変換画像の外側に合成するために、変換画像をスケーリングする処理を施すことも可能である。画像合成部１０７は、合成画像２０２を表示制御部１０５に出力する。処理は、Ｓ１９に進む。
【００５９】
Ｓ１９で、表示制御部１０５は、最大表示輝度Ｂｌで、合成画像２０２に基づく画像が表示部１０に表示されるように、表示部１０を制御する。Ｓ１７の処理が実行され、一連の表示制御フローが終了する。
【００６０】
本実施例における表示装置１によれば、基準となる明るさに対応する入力画像の信号値が指定された画素が、表示部１０において表示される場合の特定輝度Ｌｒが変化しても、ユーザが容易に把握することが可能となる。したがって、表示装置１の表示レンジＲａや、最大表示輝度Ｂｌの設定条件に応じて、基準となる明るさに対応する信号値の表示装置１における輝度をユーザが把握することが可能となる。
【００６１】
（その他の実施例）
なお、入力画像は、各画素に対して、絶対輝度を示す情報に対応する信号値が指定されてもよい。例えば、入力画像の各画素の信号値はそれぞれ、明るさを示す単位（ｎｉｔ）で表わされる絶対輝度と関連付けられた特性情報に基づいて指定されているとする。このような入力画像のダイナミックレンジは、絶対輝度で表わされるダイナミックレンジである。例えば、入力画像のダイナミックレンジが１０００ｎｉｔであるとする。
【００６２】
また、入力画像のダイナミックレンジが絶対輝度で表わされる場合、表示レンジも絶対輝度で表わすことが可能である。例えば、表示レンジは、４００ｎｉｔであるとする。入力画像の信号値が絶対輝度に関連付けて指定されている場合、基準の明るさを示す信号値は、例えば、１００ｎｉｔを示す信号値であるとする。
【００６３】
上述の実施例における表示装置１では、入力画像のうち基準の明るさを示す信号値が表示部１０に表示される場合の特定輝度Ｌｒを示すＯＳＤ画像として、基準の明るさ（反射率）と特定輝度Ｌｒとを示す画像を示したが、他の画像であってもよい。ＯＳＤ画像は、表示レンジＲａと最大表示輝度Ｂｌとをそれぞれ設定するＧｒａｐｈｉｃａｌ  Ｕｓｅｒ  Ｉｎｔｅｒｆａｃｅ（ＧＵＩ）と、基準の明るさ（反射率）および特定輝度Ｌｒを示す画像を１つのＯＳＤ画像として生成してもよい。
【００６４】
図９は、ＧＵＩ画像と基準の明るさ（反射率）および特定輝度Ｌｒを示す画像からなるＯＳＤ画像を示した模式図である。図９（ａ）に示すように、表示レンジおよび最大表示輝度について、ユーザはＧＵＩ上の三角形のゲージを操作することによって指定することが可能である。
【００６５】
また、入力画像のうち基準の明るさを示す信号値が表示部１０に表示される場合の特定輝度Ｌｒを示すための表示は、ＯＳＤ画像に限らず、テキストデータを直接変換画像に合成してもよい。さらに、制御部１００は、ユーザが設定した目標輝度Ｌｔと特定輝度Ｌｒとの差分が表示されるように、表示部１０を制御してもよい。例えば、反射率１００％に対応する目標輝度Ｌｔを、１００ｃｄ／ｍ２とする。制御部１００は、特定輝度Ｌｒが、目標輝度Ｌｔよりも低い場合に、特定輝度Ｌｒを赤色の文字で表示し、特定輝度Ｌｒが、目標輝度Ｌｔ以上である場合に、特定輝度Ｌｒを黒色の文字で表わすとする。
【００６６】
基準反射率取得部１０８は、複数の基準となる明るさを複数取得するものであってもよい。例えば、基準反射率取得部１０８は、基準となる明るさとして、反射率１８％と反射率１００％とを取得するとする。この場合、ＯＳＤ生成部１０６は、各反射率に対応する特定輝度Ｌｒを示すＯＳＤ画像を生成する。図９（ｂ）は、複数の基準の明るさと、複数の基準の明るさに対する特定輝度Ｌｒとを示すＯＳＤ画像の模式図である。
【００６７】
ＯＳＤ画像２０１は、所定の期間において変換画像に合成されて表示されるものであってもよい。例えば、表示レンジＲａ、最大表示輝度Ｂｌ、および基準の明るさの少なくとも１つがユーザにより変更されたことに応じて、制御部１００は、ＯＳＤ画像２０１を表示してもよい。さらに、制御部１００は、ＯＳＤ画像２０１の表示が開始してから所定の期間経過したことに応じてＯＳＤ画像２０１の合成をやめることも可能である。
【００６８】
これにより、ユーザは各パラメータの変更に応じて基準の明るさに対応する信号値が表示装置１においてどのような輝度で表示されているかを把握することが可能となる。さらに、入力画像に基づく画像を表示装置１で視聴する際に、ＯＳＤ画像２０１による違和感を受けることを抑制することが可能となる。なお、所定の期間は、ユーザが任意に設定可能である。
【００６９】
本発明は、以下の処理を実行することによっても実現される。即ち、上述した実施形態の機能を実現するプログラムをネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。なお、上述のプログラムは、ソフトウェアやアプリケーションであってもよい。
【符号の説明】
【００７０】
１  表示装置
１０  表示部
１００  制御部
１０２  画像変換部
１０５  表示制御部
Ｒａ  表示レンジ
Ｂｌ  最大表示輝度
Ｌｒ  特定輝度
【図１】
0006771947.tif 000005
【図２】
0006771947.tif 000006
【図３】
0006771947.tif 000007
【図４】
0006771947.tif 000008
【図５】
0006771947.tif 000009
【図６】
0006771947.tif 000010
【図７】
0006771947.tif 000011
【図８】
0006771947.tif 000012
【図９】
0006771947.tif 000013